(57)【特許請求の範囲】
【請求項１】
パターン配線が形成されたバックボードに電子回路，電子部品を三次元実装するための、バックボード装備型の光ファイバコネクタであって、次の各構成を有することを特徴とする光ファイバコネクタ。
（イ）接続対象の光ファイバの一方を整列保持するためのフェルールと、このフェルールを保持固定するプラグシェルとを含み、前記バックボードの裏面側に配置される第１のプラグ
（ロ）接続対象の光ファイバの他方を整列保持するためのフェルールと、このフェルールを保持固定するプラグシェルとを含み、前記バックボードの表面側に配置される第２のプラグ
（ハ）前記バックボードの板厚寸法より大きい長さ寸法を有し、その内側に前記第１のプラグのフェルール及び第２のプラグのフェルールが挿入される整列スリーブと、この整列スリーブを内部に保持固定してその長軸方向に２つに分割できるスリーブホルダとを備え、前記バックボードに形成される貫通孔に圧入されてその両端がこのバックボードの表側及び裏側の両面から突出するように配置固定された整列スリーブ・ホルダ組立
（ニ）プラグ係止片を備えて形成され、前記整列スリーブ・ホルダ組立の、バックボードの裏面側に突出した部分を内部に取り込んで前記バックボードの裏面に実装されて前記第１のプラグが挿入され、この第１のプラグを、そのフェルールが前記整列スリーブ内に挿し込まれた状態で前記プラグ係止片により係止、固定する第１のアダプタハウジング
（ホ）プラグ係止片を備えて形成され、前記整列スリーブ・ホルダ組立の、バックボードの表面側に突出した部分を内部に取り込んで前記バックボードの表面に実装されて前記第２のプラグが挿入され、この第２のプラグを、そのフェルールが前記整列スリーブ内に挿し込まれて前記第１のプラグのフェルールに当接した状態で前記プラグ係止片により係止、固定する第２のアダプタハウジング
【請求項２】
請求項１に記載の光ファイバコネクタに対し、整列スリーブ・ホルダ組立は、その整列スリーブが、バックボードに形成された貫通孔に直接圧入されてその両端がこのバックボードの両面から突出するように配置、固定された構造である光ファイバコネクタ。
【請求項３】
請求項２に記載の光ファイバコネクタに対し、整列スリーブ・ホルダ組立は、その整列スリーブ内に、予め定められた長さ寸法を有してその内部に光ファイバを整列保持したフェルールを保持固定した構造であり、第１のプラグは、第１のアダプタハウジングに係止、固定されたときに、そのフェルールが前記整列スリーブ内のフェルールに当接する構造であり、第２のプラグは、第２のアダプタハウジングに係止、固定されたときに、そのフェルールが前記整列スリーブ内のフェルールに当接する構造である光ファイバコネクタ。
【請求項４】
請求項３に記載の光ファイバコネクタに対し、整列スリーブ・ホルダ組立は、その光ファイバを整列保持したフェルールが、バックボードの板厚寸法より大きい長さ寸法を有してこのバックボードに形成された貫通孔に直接挿入され、その両端が前記バックボードの両面から突出するように配置固定され、その２分割された整列スリーブが、前記フェルールの、バックボードの両面から突出した部分を保持、固定するように形成され、その２つに分割されたスリーブホルダが、２分割された前記整列スリーブそれぞれを保持、固定するように形成された構造であり、第１のプラグは、第１のアダプタハウジングに係止、固定されたときに、そのフェルールが、２分割された一方の整列スリーブ内のフェルールに当接する構造であり、第２のプラグは、第２のアダプタハウジングに係止、固定されたときに、そのフェルールが、２分割された他方の整列スリーブ内のフェルールに当接する構造である光ファイバコネクタ。
【請求項５】
前記整列スリーブ・ホルダ組立の分割されたスリーブホルダが、それぞれ、第１のアダプタハウジングと第２のアダプタハウジングとに一体形成された構造である請求項１乃至請求項４の何れか１項に記載の光ファイバコネクタ。
【請求項６】
前記第１のプラグ及び第２のプラグそれぞれが複数づつ配置され、前記整列スリーブ・ホルダ組立が複数個、前記バックボードに予め定められた間隔で配列、形成された複数の貫通孔それぞれに対応して圧入、固定され、前記第１のアダプタハウジングが、前記複数の整列スリーブ・ホルダ組立それぞれの、バックボードの裏面に突出した部分を内部に取り込んで前記バックボードの裏面に実装されて前記複数の第１のプラグが挿入され、そのフェルールを対応する整列スリーブ内に挿入した状態でこれら第１のプラグを係止、固定する複数連構造であり、前記第２のアダプタハウジングが、前記複数の整列スリーブ・ホルダ組立それぞれの、バックボードの表面側に突出した部分を内部に取り込んで前記バックボードの表面に実装されて前記複数の第２のプラグが挿入され、そのフェルールを対応する整列スリーブ内に挿入して第１のプラグのフェルールに直接当接した状態又は前記整列スリーブ内のフェルールに当接した状態でこれら第２のプラグを係止、固定する複数連構造である請求項１乃至請求項５のいずれか１項に記載の光ファイバコネクタ。
【発明の詳細な説明】
【０００１】
【発明の属する技術分野】
本発明は光ファイバコネクタに関し、特に交換機、通信装置などにおける、主にパターン配線が形成されたバックボードに、パッケージボードや電子部品等を３次元実装するための光ファイバコネクタに属する。
【０００２】
【従来の技術】
交換機や通信装置などにおいては、バックボードとパッケージボードとを垂直に接続する、いわゆる「３次元実装」が標準とされている。この３次元実装においては、パッケージボード側に高速スイッチング素子や光モジュール等のデバイス（電子部品）を搭載して電子回路等を形成し、バックボード側には、主にパッケージボード間の信号伝送のためのパターン配線や、電源用のパターン配線等がその表層及び内層に形成されている。
昨今の大容量通信機器では、インターコネクション速度が大幅に上昇しており、バックボード・パッケージボード間を接続する場合、従来の電気的コネクタのほかに、単芯、多芯等の光ファイバコネクタを使用する必要があり、ＪＩＳにも規定されている
【０００３】
このような光ファイバコネクタの、従来の、単芯の場合の一例を図５（ａ），（ｂ）に示す。
この例の光ファイバコネクタは、バックボード８００ｘの裏側面に配置される第１のプラグ１００ｘ及びアダプタハウジング４００ｘと、バックボード８００ｘの表面側に配置される第２のプラグ２００ｘ及びアダプタハウジング５００ｘとを有して構成され、これらの詳細は次のとおりである。
第１のプラグ１００ｘは、その中心軸上に、接続対象の光ファイバの一方を整列保持するためのフェルール１１０ｘと、このフェルール１１０ｘを、フェルール保持部材１３０ｘにより保持固定するプラグシェル１２０ｘとを含んで構成される。
【０００４】
アダプタハウジング４００ｘは、内部に、プラグ１００ｘのフェルール１１０ｘが挿入される整列スリーブ３１１ｘと、この整列スリーブ３１１ｘを保持固定するスリーブホルダ３２０ｘと、プラグ係止片４１０ｘとを備えて形成され、その外殻の一部がバックボード８００ｘに形成された貫通孔８１０ｘに挿入されてバックボード８００ｘに固定される。
第２のプラグ２００ｘは、その中心軸上に、接続対象の光ファイバの他方を整列保持するためのフェルール２１０ｘと、このフェルール２１０ｘを、フェルール保持部材２３０ｘにより保持固定するプラグシェル２２０ｘとを含んで構成される。
【０００５】
アダプタハウジング５００ｘは、内部に、プラグ２００ｘのフェルール２１０ｘが挿入される整列スリーブ３１２ｘと、この整列スリーブ３１２ｘを保持固定するスリーブホルダ３３０ｘと、プラグ係止片５１０ｘとを備えて構成され、その外殻の一部がバックボード８００ｘの貫通孔８１０ｘに挿入されてバックボード８００ｘに固定されると同時に、互いに中心軸を一致させるように、アダプタハウジング４００ｘと結合する。
【０００６】
そして、フェルール１１０ｘに接続対象の光ファイバの一方が整列保持されたプラグ１００ｘが、アダプタハウジング４００ｘに挿入されて、フェルール１１０ｘが整列スリーブ３１１ｘ内に挿入され、プラグ係止片４１０ｘにより、プラグ１００ｘはアダプタハウジング４００ｘ内に係止、固定される。また同様に、フェルール２１０ｘに接続対象の光ファイバの他方が整列保持されたプラグ２００ｘが、アダプタハウジング５００ｘに挿入されて、フェルール２１０ｘが整列スリーブ３１２ｘ内に挿入され、プラグ係止片５１０ｘにより、プラグ２００ｘはアダプタハウジング５００ｘ内に係止、固定され、同時に、プラグ１００ｘのフェルール１１０ｘとプラグ２００ｘのフェルール２１０ｘとが当接して、光ファイバは接続状態となる。
【０００７】
図６は、複数の第１のプラグ１００ｘと複数の第２のプラグ２００ｘとを用いて、多連（多芯）接続する場合の、光ファイバコネクタの一例を示す分解斜視図である。
この例の光ファイバコネクタは、複数の第１，第２のプラグ１００ｘ，２００ｘと、多連アダプタハウジング４５０ｘ，５５０ｘと、多連プラグハウジング６００ｘとを有して構成され、プラグ１００ｘ，２００ｘ、及び多連アダプタハウジング４５０ｘ，５５０ｘの、プラグ１００ｘ，２００ｘ係止、固定部分、フェルール１１０ｘ，２１０ｘ挿入、当接、光ケーブル接続部分の構造は単芯の場合と同一である。
この例では、多連となっているため、アダプタハウジングの外殻は大きく、バックボード８００ｙに形成された貫通孔８１０ｙも大きくなっている。また、パッケージボード９００ｘに多連プラグハウジング６００ｘを装備して、複数のプラグ２００ｘが同時に多連アダプタハウジング５５０ｘに挿入される構造となっている。
【０００８】
【発明が解決しようとする課題】
上述した従来の光ファイバコネクタは、内部に整列スリーブ３１１ｘ，３１２ｘ及びスリーブホルダ３２０ｘ，３３０ｘを備えたアダプタハウジング４００ｘ，５００ｘ、多連アダプタハウジング４５０ｘ，５５０ｘの外殻の一部を、バックボード８００ｘ，８００ｙの貫通孔８１０ｘ，８１０ｙに挿入してこれらをバックボード８００ｘ，８００ｙに保持固定する構造となっているので、バックボード８００ｘ，８００ｙには大きな貫通孔８１０ｘ，８１０ｙを必要とし、これら貫通孔８１０ｘ，８１０ｙの部分にはパターン配線を形成することができないために（デッドスペース）、この部分を避けて形成することになり、配線長が長くなったり、配線本数が少なくなって、高速化及び高密度実装の妨げになるという問題点があり、また、貫通孔によって、バックボードの強度が低下し、反りが発生する等の問題点もあり、そのために、光ファイバコネクタの配置が制限されるという問題点がある。
【０００９】
本発明の目的は、上記従来技術の問題点に鑑みて、バックボードのデッドスペースを低減して高速化、高密度実装を実現することができ、かつバックボードの強度を確保し、またその反りの発生を防ぎ、コネクタ配置の自由度を上げることができる光ファイバコネクタを提供することにある。
【００１０】
【課題を解決するための手段】
本発明の光ファイバコネクタは、パターン配線が形成されたバックボードに電子回路，電子部品を３次元実装するための、バックボード装備型の光ファイバコネクタであって、上記目的を達成するために次の各構成を有することを特徴とする。
（イ）接続対象の光ファイバの一方を整列保持するためのフェルールと、このフェルールを保持固定するプラグシェルとを含み、前記バックボードの裏面側に配置される第１のプラグ
（ロ）接続対象の光ファイバの他方を整列保持するためのフェルールと、このフェルールを保持固定するプラグシェルとを含み、前記バックボードの表面側に配置される第２のプラグ
（ハ）前記バックボードの板厚寸法より大きい長さ寸法を有し、その内側に前記第１のプラグのフェルール及び第２のプラグのフェルールが挿入される整列スリーブと、この整列スリーブを内部に保持固定してその長軸方向に２つに分割できるスリーブホルダとを備え、前記バックボードに形成される貫通孔に圧入されてその両端がこのバックボードの表側及び裏側の両面から突出するように配置固定された整列スリーブ・ホルダ組立
（ニ）プラグ係止片を備えて形成され、前記整列スリーブ・ホルダ組立の、バックボードの裏面側に突出した部分を内部に取り込んで前記バックボードの裏面に実装されて前記第１のプラグが挿入され、この第１のプラグを、そのフェルールが前記整列スリーブ内に挿し込まれた状態で前記プラグ係止片により係止、固定する第１のアダプタハウジング
（ホ）プラグ係止片を備えて形成され、前記整列スリーブ・ホルダ組立の、バックボードの表面側に突出した部分を内部に取り込んで前記バックボードの表面に実装されて前記第２のプラグが挿入され、この第２のプラグを、そのフェルールが前記整列スリーブ内に挿し込まれて前記第１のプラグのフェルールに当接した状態で前記プラグ係止片により係止、固定する第２のアダプタハウジング
【００１１】
また、前記の光ファイバコネクタに対し、整列スリーブ・ホルダ組立は、その整列スリーブが、バックボードに形成された貫通孔に直接圧入されてその両端がこのバックボードの両面から突出するように配置、固定された構造である構成を有している。
更にまた、整列スリーブ・ホルダ組立は、その整列スリーブ内に、予め定められた長さ寸法を有してその内部に光ファイバを整列保持したフェルールを保持固定した構造であり、第１のプラグは、第１のアダプタハウジングに係止、固定されたときに、そのフェルールが前記整列スリーブ内のフェルールに当接する構造であり、第２のプラグは、第２のアダプタハウジングに係止、固定されたときに、そのフェルールが前記整列スリーブ内のフェルールに当接する構造である構成を有している。
【００１２】
また、前記の光ファイバコネクタに対し、整列スリーブ・ホルダ組立は、その光ファイバを整列保持したフェルールが、バックボードの板厚寸法より大きい長さ寸法を有してこのバックボードに形成された貫通孔に直接挿入され、その両端が前記バックボードの両面から突出するように配置固定され、その2分割された整列スリーブが、前記フェルールの、バックボードの両面から突出した部分を保持、固定するように形成され、その２つに分割されたスリーブホルダが、２分割された前記整列スリーブそれぞれを保持、固定するように形成された構造であり、第１のプラグは、第１のアダプタハウジングに係止、固定されたときに、そのフェルールが、２分割された一方の整列スリーブ内のフェルールに当接する構造であり、第２のプラグは、第２のアダプタハウジングに係止、固定されたときに、そのフェルールが、２分割された他方の整列スリーブ内のフェルールに当接する構造である構成を有している。
【００１３】
更に、前記整列スリーブ・ホルダ組立の分割されたスリーブホルダが、それぞれ、第１のアダプタハウジングと第２のアダプタハウジングとに一体形成された構造である構成を有している。
【００１４】
また、前記第１のプラグ及び第２のプラグそれぞれが複数づつ配置され、前記整列スリーブ・ホルダ組立が複数個、前記バックボードに予め定められた間隔で配列、形成された複数の貫通孔それぞれに対応して圧入、固定され、前記第１のアダプタハウジングが、前記複数の整列スリーブ・ホルダ組立それぞれの、バックボードの裏面に突出した部分を内部に取り込んで前記バックボードの裏面に実装されて前記複数の第１のプラグが挿入され、そのフェルールを対応する整列スリーブ内に挿入した状態でこれら第１のプラグを係止、固定する複数連構造であり、前記第２のアダプタハウジングが、前記複数の整列スリーブ・ホルダ組立それぞれの、バックボードの表面側に突出した部分を内部に取り込んで前記バックボードの表面に実装されて前記複数の第２のプラグが挿入され、そのフェルールを対応する整列スリーブ内に挿入して第１のプラグのフェルールに直接当接した状態又は前記整列スリーブ内のフェルールに当接した状態でこれら第２のプラグを係止、固定する複数連構造である構成を有している。
【００１５】
【発明の実施の形態】
本発明の第１の実施の形態は、バックボードの裏面側に配置された第１のプラグ及びアダプタハウジングと、バックボードの表面側に配置された第２のプラグ及びアダプタハウジングと、バックボードの貫通孔に圧入、固定される整列スリーブ・ホルダ組立と、を有して構成され、これらの詳細は次のとおりである。
第１のプラグは、接続対象の光ファイバの一方を整列保持するためのフェルールと、このフェルールを保持固定するプラグシェルとを含んで形成され、第２のプラグは、接続対象の光ファイバの他方を整列保持するためのフェルールと、このフェルールを保持固定するプラグシェルとを含んで形成される。
整列スリーブ・ホルダ組立は、上記バックボードの板厚寸法より大きい長さ寸法を有し、その内側に上記第１のプラグのフェルール及び第２のプラグのフェルールが挿入される整列スリーブと、この整列スリーブを内部に保持固定してその長軸方向に２つに分割できるスリーブホルダとを備え、上記バックボードに形成された貫通孔に圧入されてその両端がこのバックボードの表側及び裏側の両面から突出するように配置固定される。
【００１６】
第１のアダプタハウジングは、プラグ係止片を備えて形成され、上記整列スリーブ・ホルダ組立の、バックボードの裏面側に突出した部分を内部に取り込んで上記バックボードの裏面に実装されて上記第１のプラグが挿入され、この第１のプラグを、そのフェルールが上記整列スリーブ内に挿し込まれた状態で上記プラグ係止片により係止、固定する。
【００１７】
第２のアダプタハウジングは、プラグ係止片を備えて形成され、上記整列スリーブ・ホルダ組立の、バックボードの表面側に突出した部分を内部に取り込んで上記バックボードの表面に実装されて上記第２のプラグが挿入され、この第２のプラグを、そのフェルールが上記整列スリーブ内に挿し込まれて上記第１のプラグのフェルールに当接した状態で上記プラグ係止片により係止、固定する。
【００１８】
このような構成、構造とすることにより、バックボードに形成される貫通孔の大きさを、従来例のアダプタハウジングが挿着される貫通孔に比べて大幅に小さくすることができて、バックボードのこの部分にはアダプタハウジングが配置されるものの、この部分にも配線することができるので、配線上のデッドスペースを低減することができ、高速化、高密度実装の実現が容易となり、かつバックボードの強度も増して、その反りの発生を防ぎ、またコネクタ配置の自由度を上げることができるようになる。
【００１９】
本発明の第２の実施の形態は、前述の第１の実施の形態の改良型であって、前述の光ファイバコネクタに対し、整列スリーブ・ホルダ組立は、その整列スリーブ内に、バックボードの板厚寸法と同程度の長さ寸法を有し内部に光ファイバを整列保持したフェルールを保持固定し、この整列スリーブが、上記バックボードに形成された貫通孔に直接圧入されてその両端がこのバックボードの両面から突出するように配置固定され、その２つに分割されたスリーブホルダが、上記整列スリーブの、バックボードの両面から突出した部分を保持固定するように形成された構造であり、第１のプラグは、第１のアダプタハウジングに係止、固定されたときに、そのフェルールが前記整列スリーブ内のフェルールに当接する構造であり、第２のプラグは、第２のアダプタハウジングに係止、固定されたときに、そのフェルールが上記整列スリーブ内のフェルールに当接する構造である構成を有している。また、整列スリーブ内にフェルールが無い構造とすることもできる。この場合には、第１，第２のアダプタハウジングのフェルール同志が直接接触する。
このような構成、構造とすることにより、バックボードに形成する貫通孔の大きさを更に小さくすることができて、より一層、高速化、高密度実装が容易となり、かつバックボードの強度も増してその反りも少なくなる。
【００２０】
本発明の第３の実施の形態は、更に前述の第２の実施の形態の改良型であり、第２の実施の形態の光ファイバコネクタに対し、整列スリーブ・ホルダ組立は、その光ファイバを整列保持したフェルールが、バックボードの板厚寸法より大きい長さ寸法を有してこのバックボードに形成された貫通孔に直接挿入され、その両端が上記バックボードの両面から突出するように配置固定され、その整列スリーブが、２分割されて上記フェルールの、バックボードの両面から突出した部分を保持、固定するように形成され、その分割されたスリーブホルダが、２分割された上記整列スリーブそれぞれを保持、固定するように形成された構造であり、第１のプラグは、第１のアダプタハウジングに係止、固定されたときに、そのフェルールが、２分割された一方の整列スリーブ内のフェルールに当接する構造であり、第２のプラグは、第２のアダプタハウジングに係止、固定されたときに、そのフェルールが、２分割された他方の整列スリーブ内のフェルールに当接する構造である構成を有している。
このような構成、構造とすることにより、バックボードの貫通孔は更に小さくなり、更に作用効果が増大する。
【００２１】
本発明の第４の実施の形態は、第１の実施の形態における光ファイバコネクタを多芯、多連コネクタに適用したものであり、次のような構成、構造となっている。
すなわち、上記第１のプラグ及び第２のプラグそれぞれが複数づつ配置され、上記整列スリーブ・ホルダ組立が複数個、上記バックボードに予め定められた間隔で配列、形成された複数の貫通孔それぞれに対応して圧入、固定され、上記第１のアダプタハウジングが、上記複数の整列スリーブ・ホルダ組立それぞれの、バックボードの裏面に突出した部分を内部に取り込んで上記バックボードの裏面に実装されて上記複数の第１のプラグが挿入され、そのフェルールを対応する整列スリーブ内に挿入した状態でこれら第１のプラグを係止、固定する複数連構造であり、上記第２のアダプタハウジングが、上記複数の整列スリーブ・ホルダ組立それぞれの、バックボードの表面側に突出した部分を内部に取り込んで上記バックボードの表面に実装されて上記複数の第２のプラグが挿入され、そのフェルールを対応する整列スリーブ内に挿入して第１のプラグのフェルールに直接当接した状態又は上記整列スリーブ内のフェルールに当接した状態でこれら第２のプラグを係止、固定する複数連構造である構成を有している。
この第４の実施の形態においても、前述の第１の実施の形態と同様の作用効果を有する。
【００２２】
【実施例】
次に本発明の実施例について図面を参照して説明する。
図１（ａ），（ｂ）は本発明の第１の実施例を示す分解斜視図及び断面側面図である。
この第１の実施例は、単芯型の光ファイバコネクタであり、第１のプラグ１００、第２のプラグ２００、整列スリーブ・ホルダ組立３００、第１のアダプタハウジング４００、及び第２のアダプタハウジング５００を有する構成となっており、その詳細は次のとおりである。第１のプラグ１００は、中心軸上に接続対象の光ファイバの一方を整列保持するためのフェルール１１０と、このフェルール１１０を、フェルール保持部材１３０により保持固定するプラグシェル１２０と、を含んで形成され、バックボード８００の裏面側に配置される。
第２のプラグ２００は、中心軸上に接続対象の光ファイバの他方を整列保持するためのフェルール２１０と、このフェルール２１０を、フェルール保持部材２３０により保持固定するプラグシェル２２０と、を含んで形成され、バックボード８００の表面側に配置される。
【００２３】
整列スリーブ・ホルダ組立３００は、バックボード８００の板厚寸法より大きい長さ寸法を有し、その内側にプラグ１００，２００のフェルール１１０，２１０が挿入されてこれらフェルール１１０，２１０を整列保持する整列スリーブ３１０と、この整列スリーブ３１０を内部に保持固定するスリーブホルダ３２０，３３０と、を備えて組立て形成され、バックボード８００に形成された貫通孔８１０に圧入されて両端がバックボード８００の両面から突出するように配置固定される。
【００２４】
第１のアダプタハウジング４００は、プラグ係止片４１０を備えて一体形成され、整列スリーブ・ホルダ組立３００の、バックボード８００の裏面側に突出した部分を内部に取り込んでバックボード８００の裏面に実装されて、第１のプラグ１００が挿入され、この第１のプラグ１００を、そのフェルール１１０が整列スリーブ３１０内に挿し込まれた状態でプラグ係止片４１０により係止、固定する。
【００２５】
第２のアダプタハウジング５００は、プラグ係止片４１０を備えて一体形成され、整列スリーブ・ホルダ組立３００の、バックボード８００の表面側に突出した部分を内部に取り込んでバックボード８００の表面に実装されて、第２のプラグ２００が挿入され、この第２のプラグ２００を、そのフェルール２１０が整列スリーブ３１０内に挿し込まれて第１のプラグ１００のフェルール１１０に当接した状態でプラグ係止片５１０により係止、固定する。
そして、第１のプラグ１００のフェルール１１０に整列保持された接続対象の光ファイバの一方と、第２のプラグ２００のフェルール２１０に整列保持された接続対象の光ファイバの他方とが接続される。
【００２６】
このような構成、構造とすることにより、バックボード８００に形成される貫通孔８１０の大きさを、従来例のアダプタハウジング挿着用の貫通孔（８１０ｘ，８１０ｙ）より大幅に小さくすることができて、バックボードのこの部分にはアダプタハウンジングが配置されるものの、この部分にも配線することができるので、そのパターン配線に対するデッドスペースを大幅に低減することができ、パターン配線を、迂回させて形成するようなことをしなくても済むので、配線長が短くなって高速化が容易となり、また配線本数も多くすることができるので、高密度実装が容易になる。また、貫通孔８１０が小さくなるので、バックボード８００の強度も上がり、反りが発生し難くなる。従って、この光ファイバコネクタの配置上の制限も緩和され、コネクタ配置に対する自由度を上げることができる。
【００２７】
図２は本発明の第２の実施例を示す分解斜視図である。
この第２の実施例は、第１の実施例における光ファイバコネクタを、多芯、多連コネクタに適用したものであり、次のような構成、構造となっている。
第１の実施例における第１のプラグ１００、第２のプラグ２００、及び整列スリーブ・ホルダ組立３００はそれぞれ複数づつ配置され、複数の整列スリーブ・ホルダ組立３００は、バックボード８００に、予め定められた間隔で配列、形成された複数の貫通孔８１０それぞれに対応して圧入、固定され、第１の多連アダプタハウジング４５０は、第１の実施例における第１のアダプタハウジング４００の構造を多連化した構造となっており、第２の多連アダプタハウジング５５０は、第１の実施例における第２のアダプタハウジング５００の構造を多連化し、かつ、複数の第２のプラグ２００が同時に挿入できる、多連プラグハウジング６００と結合できる構造となっている。そして、多連プラグハウジング６００は、複数の第２のプラグ２００を保持してパッケージボード９００に取り付けられている。
【００２８】
この第２の実施例においても、第１の実施例と同様の作用効果が得られる。
ここで、フェルール１１０，２１０の直径を一般的な１．２５ｍｍとして、貫通孔の大きさがどの程度になり、どの程度の配線が形成可能であるか、算出してみる。
例えば、８芯とした場合に、従来例では、その貫通孔８１０ｘの大きさは１０ｍｍ×４２ｍｍとなり、本発明では、直径３ｍｍ程度の貫通孔８１０ａが８個、すなわち、デッドスペースは、７．１×８＝５６．８（ｍｍ２）となり、従来の４２０（ｍｍ２）に対し、その１／７以下の面積とすることができる。また、デッドスペースの８芯配列方向の幅は、４２ｍｍに対して３×８＝２４（ｍｍ）とすることができて、従来例に対し、１８ｍｍ配線領域を増大させることができ、配線幅０．１ｍｍ、線間０．５ｍｍとすると、コネクタ１個の１層当たり、３０本程度、本発明の方が多く配線することができる。更に、８芯配列と平行な方向の幅では、１０ｍｍに対し３ｍｍであるので、７ｍｍ程度配線領域を増大させることができて、１層当たり、１２本程度、本発明の方が多く配線することができる。
【００２９】
図３（ａ），（ｂ）は本発明の第３の実施例を示す断面側面図及びバックボードの貫通孔と整列スリーブとの関係を示す斜視図である。
この第３の実施例は、第１，第２の実施例における、主として整列スリーブ・ホルダ組立３００部に対する改良型であり、この改良に伴って、第１，第２のプラグのフェルールの長さが変更されている。
【００３０】
この第３の実施例では、整列スリーブ・ホルダ組立３００ａが、バックボード８００ａの板厚寸法と同程度の長さ寸法を有し、内部に光ファイバを整列保持したフェルール３４０と、このフェルール３４０を内部に整列保持固定して、バックボード８００ａに形成された貫通孔８１０ａに直接圧入されてその両端がバックボード８００ａの両面から突出するように配置固定された整列スリーブ３１０と、この整列スリーブ３１０の、バックボード８００ａの両面から突出した部分を保持固定して、アダプタハウジング４００ａ，５００ａと一体形成されたスリーブホルダ３２０ａ，３３０ａと、を備えて形成され、プラグ１００ａは、アダプタハウジング４００ａに係止、固定されたときに、そのフェルール１１０ａが整列スリーブ３１０内のフェルール３４０に当接する構造であり、プラグ２００ａは、アダプタハウジング５００ａに係止、固定されたときに、そのフェルール２１０ａが整列スリーブ３１０内のフェルール３４０に当接する構造となっている。
【００３１】
この第３の実施例では、バックボード８００ａに形成される貫通孔８１０ａが、整列スリーブ３１０を圧入するだけの大きさで済むので、その直径を第１，第２の実施例の場合（例えば３ｍｍ程）よりも小さく（例えば１．５ｍｍ程度）することができ、その分、高速化、高密度実装が更に容易となり、また、バックボード８００ａの強度アップ等が可能となる。更にまた、従来例と同一寸法、構造のプラグが使用可能となる。
なお、この実施例の変形として、フェルール３４０が無い状態の構造とすることもできる。
【００３２】
図４は本発明の第４の実施例を示す各部の断面側面図である。
この第４の実施例は、前述の第３の実施例に対する更なる改良型であり、第３の実施例では、フェルール３４０を内蔵した整列スリーブ３１０をバックボード８００ａの貫通孔８１０ａに直接挿入、固定して、この整列スリーブ３１０の、バックボード８００ａの両面から突出した部分をスリーブホルダ３２０ａ，３３０ａで保持固定する構造となっているのに対し、この第４の実施例では、バックボード８００ｂの板厚寸法より大きい長さ寸法を有し、内部に光ファイバを整列保持したフェルール３４０ｂそのものを、バックボード８００ｂに形成された貫通孔８１０ｂに挿入してその両端がバックボード８００ｂの両面から突出するように配置、固定し、このフェルール３４０ｂの、バックボード８００ｂの両面から突出した部分を、整列スリーブ３１１，３１２、及びこれら整列スリーブを保持するスリーブホルダ３２０ｂ，３３０ｂにより、保持固定する構造となっている。また、これに伴って、プラグ１００ｂ，２００ｂのフェルール１１０ｂ，２１０ｂの長さも変更されている。
【００３３】
この第４の実施例では、バックボード８００ｂに形成される貫通孔８１０ｂの大きさを更に小さくすることができ（例えば１．２５ｍｍ）、その分、更なる作用効果が期待できる。
【００３４】
【発明の効果】
以上説明したように本発明は、バックボードの板厚寸法より大きい長さ寸法を有してその内側に第１，第２のプラグのフェルールが挿入される整列スリーブと、この整列スリーブを内部に保持固定するスリーブホルダとを備え、バックボードに形成された貫通孔に圧入されてその両端がバックボードの両面に突出するように配置固定された整列スリーブ・ホルダ組立を設け、この整列スリーブ・ホルダ組立の、バックボードの裏面側に突出した部分を内部に取り込んでバックボードの裏面に実装されて第１のプラグが挿入され、これを係止、固定する第１のアダプタハウジングを設け、整列スリーブ・ホルダ組立の、バックボードの表面側に突出した部分を内部に取り込んでバックボードの表面に実装され、第２のプラグが挿入されてこれを係止、固定する第２のアダプタハウジングを設けた構成、構造とすることにより、バックボードに形成される貫通孔の大きさを、従来例のアダプタハウジング挿着用の貫通孔に比べて大幅に小さくすることができるので、バックボードのこの部分にはアダプタハウジングが配置されるものの、この部分にも配線することができ、配線上のデッドスペースを低減することができて、高速化、高密度実装の実現が容易になり、かつ、バックボードの強度も増大してその反りの発生を防止することができ、更にコネクタ配置に対する自由度を上げることができる、という効果があり、また、整列スリーブ・ホルダ組立を改良して、整列スリーブを直接、バックボードの貫通孔に直接圧入するか、バックボードの板厚より長く、光ファイバを整列、保持したフェルールをバックボードの貫通孔に直接挿入して、そのバックボードの両端に突出した部分を整列スリーブ・ホルダ組立により保持、固定する構成、構造とすることにより、尚一層バックボードの貫通孔の寸法を小さくすることができて、より一層、効果を上げることができる。
【図面の簡単な説明】
【図１】本発明の第１の実施例を示す分解斜視図、及び断面側面図である。
【図２】本発明の第２の実施例を示す分解斜視図である。
【図３】本発明の第３の実施例を示す断面側面図、及びバックボードと整列スリーブとの関係を説明するための斜視図である。
【図４】本発明の第４の実施例を示す各部の断面側面図である。
【図５】従来の光ファイバコネクタの第１の例を示す分解斜視図、及び断面側面図である。
【図６】従来の光ファイバコネクタの第２の例を示す分解斜視図である。
【符号の説明】
１００，１００ａ，１００ｂ，１００ｘ  プラグ
１１０，１１０ａ，１１０ｂ，１１０ｘ  フェルール
１２０，１２０ａ，１２０ｂ，１２０ｘ  プラグシェル
２００，２００ａ，２００ｂ，２００ｘ  プラグ
２１０，２１０ａ，２１０ｂ，２１０ｘ  フェルール
２２０，２２０ａ，２２０ｂ，２２０ｘ  プラグシェル
３００，３００ａ，３００ｂ  整列スリーブ・ホルダ組立
３１０，３１１，３１１ｘ，３１２ｘ  整列スリーブ
３２０，３２０ａ，３２０ｂ，３２０ｘ  スリーブホルダ
３３０，３３０ａ，３３０ｂ，３３０ｘ  スリーブホルダ
３４０，３４０ｂ  フェルール
４００，４００ａ，４００ｂ  アダプタハウジング
４１０，４１０ａ，４１０ｂ  プラグ係止片
４５０，４５０ｘ  多連アダプタハウジング
５００，５００ａ，５００ｂ，５００ｘ  アダプタハウジング
５１０，５１０ａ，５１０ｂ，５１０ｘ  プラグ係止片
５５０，５５０ｘ  多連アダプタハウジング
６００，６００ｘ  多連プラグハウジング
８００，８００ａ，８００ｂ，８００ｘ，８００ｙ  バックボード
８１０，８１０ａ，８１０ｂ，８１０ｘ，８１０ｙ  貫通孔
９００，９００ｘ  パッケージボード
【図１】
0003569774.tif 000002
【図２】
0003569774.tif 000003
【図３】
0003569774.tif 000004
【図４】
0003569774.tif 000005
【図５】
0003569774.tif 000006
【図６】
0003569774.tif 000007